(57)【要約】【課題】器具本体の取付穴または電源コード挿通穴を隠蔽する部材を別途必要としない照明器具を提供する。【解決手段】天井壁Ｓに取り付けられる蓋部の内面側に形成され、口金６ａ，７ａを備えた発光部を環形に配設してなる環形の小形，大形蛍光ランプ６，７を配設する反射面２ｂ、小形，大形蛍光ランプの取付位置の外側であって、口金を有する発光部側とこの発光部と対向する発光部側とにおいてそれぞれ形成された複数の取付穴１０ａ，１０ｂを備えた器具本体２と；この器具本体に装着されて反射面の環形ランプ取付位置よりも外側を被覆し、これら被覆部により囲まれた反射面の内側に投光開口を形成する枠状の反射枠３と；を具備している。【選択図】  図１
2005327574.tif 000002
【特許請求の範囲】
【請求項１】
天井に取り付けられる取付部の内面側に形成され、口金を備えた発光部を環形に配設してなる環形ランプを配設する反射面、上記環形ランプの取付位置の外側であって、上記口金を有する発光部側とこの発光部と対向する発光部側とにおいてそれぞれ形成された複数の取付穴を備えた器具本体と；
この器具本体に装着されて上記反射面の環形ランプ取付位置よりも外側を被覆し、これら被覆部により囲まれた反射面の内側に投光開口を形成する枠状の反射枠と；
を具備していることを特徴とする照明器具。
【請求項２】
上記口金は、上記一対の取付穴同士を直線で結ぶ仮想直線上に配設されていることを特徴とする請求項１記載の照明器具。
【請求項３】
上記器具本体は、上記環形ランプの取付位置の外側において形成された電源コードを挿通させる電源コード挿通穴を具備していることを特徴とする請求項１または２記載の照明器具。
【請求項４】
上記器具本体は、その上記環形ランプの外側に対応する外側部にて、点灯回路とこの点灯回路に上記電源コードを接続させる端子台と、を配設することを特徴とする請求項３記載の照明器具。
【発明の詳細な説明】
【技術分野】
【０００１】
本発明は天井直付けや天井埋込形等に好適な照明器具に関する。
【背景技術】
【０００２】
従来、この種の照明器具の一例としては、下記の特許文献１に記載されたものがある。この照明器具は、有蓋偏筒角筒状の器具本体に、複数本の片口金形の蛍光ランプを並設するものであり、器具本体を天井壁に取り付けるための取付穴を、器具本体の取付部である蓋部の中央部にて、例えば２箇所、あるいは器具本体が大形の場合は４箇所それぞれ形成している。また、電源コードを挿通する電源コード挿通穴も器具本体の蓋部中央部に形成している。
【特許文献１】特開２００２−３５８８１４号公報（［図３］，［図４］）
【発明の開示】
【発明が解決しようとする課題】
【０００３】
しかしながら、このような従来の照明器具では、一般に目立ち易い器具本体の中央部に、複数の取付穴と電源コード挿通穴をそれぞれ形成するので、これら取付穴と電源コード挿通穴が見えることによる美的外観の低下を防止するために、これら取付穴と電源コード挿通穴を隠すＶカバー等の目隠し部材を器具本体に装着している。
【０００４】
このために、Ｖカバー等の目隠し部材が別途必要となるうえに、これを器具本体に装着するための組立工程が必要となる。
【０００５】
また、取付穴が器具本体のほぼ中央部にあるので、この器具本体を天井壁に取り付けたとき、器具本体の中央部と天井壁との密着度は強いが、器具本体の隅角部や外縁部と天井壁との密着度が弱くなり、微小間隙が形成される場合があり、美的外観を低下させるという課題もある。
【０００６】
さらに、この従来の照明器具では、その器具本体の一端部に、片口金形蛍光ランプの口金に着脱自在に装着されるソケットを固定しているので、このソケットに蛍光ランプの口金が着脱される都度、その外力がソケット周辺の器具本体の一端部に集中的に負荷される。しかし、この器具本体の一端部には取付穴はなく、ここでは天井壁に固定されていないので、器具本体の天井壁への取付強度が低下するという課題がある。
【０００７】
また、この片口金の蛍光ランプに代えて、光源として四角形や円形等の環形蛍光ランプを使用する場合には、その環形中央部は高温領域となるので、器具本体の中央部に形成された電源コード挿通穴を挿通する電源コードが高温に炙られて、その被覆が熱で劣化するという課題もある。
【０００８】
また、点灯回路は器具本体の一端部に配設されているので、器具本体中央部の電源コード挿通穴から点灯回路までの配線引き回し長が長くなるという課題がある。
【０００９】
本発明はこのような事情を考慮してなされたもので、その目的は、器具本体の取付穴を隠蔽する部材を別途必要としないとともに器具本体の天井取付強度を高める照明器具を提供することにある。
【課題を解決するための手段】
【００１０】
請求項１に係る発明は、天井に取り付けられる取付部の内面側に形成され、口金を備えた発光部を環形に配設してなる環形ランプを配設する反射面、上記環形ランプの取付位置の外側であって、上記口金を有する発光部側とこの発光部と対向する発光部側とにおいてそれぞれ形成された複数の取付穴を備えた器具本体と；この器具本体に装着されて上記反射面の環形ランプ取付位置よりも外側を被覆し、これら被覆部により囲まれた反射面の内側に投光開口を形成する枠状の反射枠と；を具備していることを特徴とする照明器具である。
【００１１】
請求項２に係る発明は、上記口金は、上記一対の取付穴同士を直線で結ぶ仮想直線上に配設されていることを特徴とする請求項１記載の照明器具である。
【００１２】
請求項３に係る発明は、上記器具本体は、上記環形ランプの取付位置の外側において形成された電源コードを挿通させる電源コード挿通穴を具備していることを特徴とする請求項１または２記載の照明器具である。
【００１３】
請求項４に係る発明は、上記器具本体は、その上記環形ランプの外側に対応する外側部にて、点灯回路とこの点灯回路に上記電源コードを接続させる端子台と、を配設することを特徴とする請求項３記載の照明器具である。
【発明の効果】
【００１４】
本発明によれば、器具本体反射面の環形ランプ取付位置よりも外側にて複数の取付穴をそれぞれ形成しているので、この取付穴を、反射面の環形ランプ取付位置の外側を被覆する反射枠により隠すことができる。このために、取付穴を隠すためのカバー等の目隠し部材を別途設ける必要がない。
【００１５】
また、この取付穴は、環形ランプの口金近傍と、この口金を備えた発光部に対向する発光部の近傍であって、環形ランプの取付位置の外部にてそれぞれ形成されているので、この環形ランプの口金にソケットが着脱自在に装着される際に、外力が器具本体に負荷された場合でも、その口金近傍にて取付穴が形成され、ここで天井に取付固定されているうえに、その対向側の取付穴においても天井に取付固定されているので、器具本体の天井への取付強度の低下を防止ないし抑制させることができる。
【発明を実施するための最良の形態】
【００１６】
以下、本発明の実施形態を添付図面に基づいて説明する。なお、これら添付図面中、同一または相当部分には同一符号を付している。
【００１７】
図１は本発明の一実施形態に係る照明器具を天井に固定した状態を下方から仰視したときの下面図、図２は図１の側面図である。
【００１８】
これらの図に示すように照明器具１は天井壁Ｓ等の取付壁に直接取り付けられる直付形や天井壁Ｓの図示しない器具装着用開口に埋設されて吊りボルト等の取付金具に吊持される埋込形型に好適な照明器具である。
【００１９】
照明器具１は、下面開口の有蓋偏平角筒状で、例えば薄い鉄板等の板金製の器具本体２と、この器具本体２の下面に同心状に装着されて、器具本体２の下面外周部に配設される中空矩形枠状の反射枠３と、を具備している。
【００２０】
反射枠３はアルミ製、板金製または合成樹脂製等からなり、平面形状が四角形で、その軸直角断面形状がＶ字形に形成されており、器具本体蓋部２ａの内面の図１中左右両側端部上に固定されたインバータ点灯方式の点灯回路４，５や配線（図示省略）等の外面を被覆している。
【００２１】
図１，２に示すように、器具本体２は、その取付部である平板状蓋部２ａの内部（図２では図中下面）の平坦面を反射面２ｂに形成している。器具本体２は、反射面２ｂに対向する対向端において、反射枠３により矩形状に囲まれた内側の下面開口を投光開口２ｃとして開口させている。
【００２２】
図１に示すように器具本体２は、その反射面２ｂ上に、四角形状の環形小形蛍光ランプ６と、これより大形で同じく四角形状の環形大形蛍光ランプ７とを、同心状かつ着脱可能にそれぞれ保持させる複数のランプホルダー（図示省略）を配設している。
【００２３】
小形，大形蛍光ランプ６，７は、例えば一対の電極をそれぞれ封入した２本のほぼ四角形のガラスバルブを同一平面上にて内側と外側とに近接させて並設し、これらの各先端部同士を連結管により一体に連結して内側，外側の２重管にそれぞれ形成し、さらに、これら２重管の内面に、蛍光体膜をほぼ全長に亘ってそれぞれ形成し、この２重管内に水銀と希ガス等の放電媒体をそれぞれ封入している。
【００２４】
また、小形，大形蛍光ランプ６，７は、これら電極封止端部と連結先端部の外面とに各々跨るように口金６ａ，７ａをそれぞれ装着し、これら口金４ａ，５ａの図示しない受電ピンにそれぞれ着脱自在に装着されるソケット８，９を器具本体蓋部２ａの反射面２ｂ等内面側に固着しており、器具本体２を天井壁Ｓに取付固定した状態では小形，大形蛍光ランプ６，７の口金６ａ，７ａを下方から上方へ押し上げることにより、これら口金６ａ，７ａを各ソケット８，９に着脱自在に装着できるようになっている。各ソケット８，９は図示しないリード線により端子台を介して点灯回路４，５に電気的にそれぞれ接続されている。
【００２５】
図１に示すようにこれらソケット８，９は器具本体２の中心Ｏを通る水平軸を対称軸として図中上下対称位置に配設される。したがって、これらソケット８，９に着脱自在にそれぞれ装着される小形，大形蛍光ランプ６，７の各口金６ａ，７ａも図中上下対称位置に配設される。
【００２６】
そして、器具本体２は、その平板状蓋部２ａの外側部、すなわち、図１に示すように、小形，大形蛍光ランプ６，７の各口金６ａ，７ａの取付位置よりも外側であって、これら口金６ａ，７ａ同士を、器具本体２の中心Ｏを図中垂直方向に通る仮想直線Ｌ上において、図１中上下一対の取付穴１０ａ，１０ｂを口金６ａ，７ａ（ソケット８，９）の近傍にてそれぞれ穿設している。これら取付穴１０ａ，１０ｂには図示しない取付ねじ等を挿通して天井壁Ｓ等にねじ込むことにより、器具本体２を天井壁Ｓに取付固定することができる。
【００２７】
したがって、この照明器具１によれば、一対の取付穴１０ａ，１０ｂを、器具本体２の反射面２ｂ側における小形，大形蛍光ランプ６，７の取付位置よりも外側の外側部に形成しているので、その器具本体２の反射面２ｂ側の外側部を被覆する反射枠３により、これら上下一対の取付穴１０ａ，１０ｂを被覆することができる。このために、取付穴１０ａ，１０ｂを隠すための従来のＶカバー等の目隠し部材を省略することができる。その結果、かかる目隠し部材の節約とその器具本体への組付工程の削減を図ることができる。
【００２８】
また、一対の取付穴１０ａ，１０ｂは、小形，大形蛍光ランプ６，７の口金６ａ，７ａおよびこれら口金６ａ，７ａに着脱自在にそれぞれ装着される各ソケット８，９の近傍にあるので、これら口金６ａ，７ａとソケット８，９の近傍にて器具本体２を天井壁Ｓに取付固定することができる。
【００２９】
したがって、これら口金６ａ，７ａとソケット８，９との各着脱のために各々の外力が器具本体２にそれぞれ作用しても、その外力作用点が器具本体２の一対の取付穴１０ａ，１０ｂの各取付固定部の近傍であるので、その外力を取付穴１０ａ，１０ｂの取付固定部により受けることができる。このために、これら口金６ａ，７ａとソケット８，９との着脱を簡単確実に行なうことができると共に、器具本体２の支持強度の低下を防止ないし低減することができる。
【００３０】
また、器具本体２は、その中心Ｏを図中垂直方向に通り一対の取付穴１０ａ，１０ｂ同士を結ぶ仮想直線Ｌ上に、小形，大形蛍光ランプ６，７の口金６ａ，７ａとソケット８，９とを配設し、この仮想直線Ｌの左右に、一対の点灯回路４，５を左右に振り分けるように配設したので、仮想直線Ｌを中心軸とした左右の重量バランスの均衡を図り易い。このために照明器具の取扱いの容易性を向上させることができる。
【００３１】
図３は本発明の第２実施形態に係る照明器具１Ａの下面図である。この照明器具１Ａは、反射枠３により被覆される器具本体２の内面側の外側部であって、一対の取付穴１０ａの側方にて、端子台１１を配設固定すると共に、電源コード挿通穴１２を器具本体２に穿設している点に特徴があり、これ以外の構成は図１で示す照明器具１とほぼ同様である。
【００３２】
電源コード挿通穴１２は電源コードを挿通させて照明器具１Ａ内に引張り込むための貫通穴であり、端子台１１は電源コードと各点灯回路４，５のリード線とを相互に接続させるものである。
【００３３】
この照明器具１Ａによれば、端子台１１と電源コード挿通穴１２を、反射枠３が配設される器具本体２の外側部に配設したので、これら端子台１１と電源コード挿通穴１２とを反射枠３により被覆して隠すことができる。
【００３４】
これにより、これら端子台１１と電源コード挿通穴１２とを隠すための目隠し部材等の別途部材を設ける必要がないので、その目隠し部材の節約とその器具本体への組付け工程の削減とを共に図ることができる。
【００３５】
さらに、環形の小形，大形蛍光ランプ６，７では、その発熱により、環形中央部、すなわち、器具本体２の中心Ｏ周りの中央部が高温に昇温するが、これら環形蛍光ランプ６，７の外側は、環形中央部よりも温度が比較的低いので、電源コード挿通穴１２を挿通する電源コードが高温に炙られて被覆が熱で劣化するのを防止ないし低減することができる。
【００３６】
図４は本発明の第３実施形態に係る照明器具１Ｂの下面図である。この照明器具１Ｂは一対の取付穴１０ａ，１０ｂ同士を器具本体２の中心Ｏを図中垂直方向に通って結ぶ仮想直線Ｌ上に、小形，大形蛍光ランプ６，７の口金６ａ，７ａとソケット８，９を配設せずに、この仮想直線Ｌに直交して器具本体２の中心Ｏを図中水平方向に通る仮想水平線Ｈ上にて、これら口金６ａ，７ａ（ソケット８，９）同士を対向させて配設する点に特徴がある。
【００３７】
この照明器具１Ｂによっても図３で示す照明器具１Ａと同様に、端子台１１と電源コード挿通穴１２とを反射枠３により隠すことができる。
【００３８】
なお、小形，大形蛍光ランプ６，７の口金６ａ，７ａとソケット８，９の取付位置は、図５で示す照明器具１Ｃのように口金６ａおよびソケット８と、口金７ａおよびソケット９とを、小形，大形蛍光ランプ６，７の同一辺側に設けずに、異なる辺側に設けてもよい。例えば図５で示すように複数の口金６ａ，７ａとソケット８，９とを上記仮想直線Ｌや水平線Ｈ上で対向配置させずに器具本体２の中心Ｏを中心として、例えば中心角９０°ずらした位置にそれぞれ設けてもよい。これによれば、非発光部の口金６ａ，７ａを小形，大形蛍光ランプ６，７の各発光部間に分散配置することになるので、これらを同一側に集中配置することにより、暗部が形成され、または暗部が目立つのを防止ないし抑制することができる。
【００３９】
また、図６で示す照明器具１Ｄに示すように、例えば小形蛍光ランプ６の内側に、さらに、この小形蛍光ランプ６よりも小さい環形の第２小形蛍光ランプ１３と、この第２小形蛍光ランプ１３の口金１３ａに装着されるソケット１３ｂを追加して設け、環形蛍光ランプとソケットを各々３本ずつ設けてもよい。
【００４０】
また、この場合、３つの口金６ａ，７ａ，１３ａとこれらのソケット８，９，１３ｂとを図６に示すように横方向に列状に並ぶように配設してもよい。
【００４１】
さらに、環形蛍光ランプ６，７，１３が３本の場合は、図７で示す照明器具１Ｅのように、これらの口金６ａ，７ａ，１３ａおよびそのソケット８，９，１３ｂを器具本体２の異なる３辺側にそれぞれ配設してもよい。これによれば、上記図５で示す照明器具１Ｃと同様の作用効果を奏することができる。
【００４２】
なお、上記一対の取付穴１０ａ，１０ｂは、仮想直線Ｌ上ではなく、仮想直線Ｌの近傍でもよく、さらに、口金６ａ，７ａの近傍でなくても、口金発光部側と、その対向発光部側であればよく、反射枠３により被覆される器具本体２の外側部に設ければよい。上記実施形態では環形の小形，大形蛍光ランプ４，５として発光部が四角形に配設された四角形の蛍光ランプについて説明したが、本発明はこれに限定されるものではなく、例えば三角形や五角形、六角形等の多角形、あるいは円形の環形ランプにも適用することができる。また、上記実施形態では、環形ランプとして、小形，大形蛍光ランプ４，５の２本を使用する場合について説明したが、環形ランプは１本であったり、また、３本以上でもよい。さらに上記小形，大形蛍光ランプ４，５として２重管の場合について説明したが、１重管または３重管以上でもよい。
【図面の簡単な説明】
【００４３】
【図１】本発明の第１の実施形態に係る照明器具を下方から仰視したときの下面図。
【図２】図１の側面図。
【図３】本発明の第２の実施形態に係る照明器具の下面図。
【図４】本発明の第３の実施形態に係る照明器具の下面図。
【図５】本発明の第４の実施形態に係る照明器具の下面図。
【図６】本発明の第５の実施形態に係る照明器具の下面図。
【図７】本発明の第６の実施形態に係る照明器具の下面図。
【符号の説明】
【００４４】
１，１Ａ，１Ｂ，１Ｃ，１Ｄ，１Ｅ…照明器具、２…器具本体、２ａ…蓋部、２ｂ…反射面、２ｃ…投光開口、３…反射枠、６…小形蛍光ランプ、６ａ…口金、７…大形蛍光ランプ、７ａ…口金、８，９，１３ｂ…ソケット、１０ａ，１０ｂ…一対の取付穴、１１…端子台、１２…電源コード挿通穴、１３…第２小形蛍光ランプ、１３ａ…口金、Ｌ…仮想直線。
【図１】
2005327574.tif 000003
【図２】
2005327574.tif 000004
【図３】
2005327574.tif 000005
【図４】
2005327574.tif 000006
【図５】
2005327574.tif 000007
【図６】
2005327574.tif 000008
【図７】
2005327574.tif 000009